(57)【要約】【課題】  遮煙機能に必須な気密材、遮蔽材の取付構造を改善して、潜り戸を併設した場合でも有効に遮蔽機能を確保することができる潜り戸付遮煙防火折戸における遮蔽構造を提供する。【解決手段】  折戸１の閉鎖時に建物開口部４の開口枠５および床面Ｃとの間に形成される隙間を封鎖すべく、板状弾性ゴムからなる遮蔽材８を第１扉２、第２扉３の上框６ａ、７ａにそれぞれ延設し、かつ第２扉３の戸先側縦框９に、対応する開口枠５の縦枠５ａに密着する気密材１０を延設すると共に、前記床面Ｃに密接する遮蔽材８を、上記第１扉２では、その下框６ａに室外側Ａに偏位して延設し、第２扉３では、その下框７ａに室内側Ｂに偏位して延設した。【選択図】  図２
2005105705.tif 000002
【特許請求の範囲】
【請求項１】
吊り元側を回動支点として室外側に回動可能な第１扉と、潜り戸を併設した第２扉を、上記第１扉の戸先側を回動支点として建物開口部に設置し、火災等の検知によって上記第１扉と第２扉を閉鎖方向に回動させて上記建物開口部を遮蔽するように構成した潜り戸付遮煙防火折戸において、上記折戸の閉鎖時に、建物開口部の開口枠および床面との間に形成される隙間を封鎖すべく、板状の軟質材からなる遮蔽材を各扉の上框にそれぞれ延設し、かつ第２扉の戸先側縦框に、対応する開口枠の縦枠に密着する気密材を延設する一方、前記床面に密接する遮蔽材を各扉の下框に延設するに際し、上記第１扉では吊元側の見込み面から室外側に偏位した扉面を経て戸先側の見込み面に至る間の部位に遮蔽材を断面視略コ字状に延設し、第２扉では吊元側から室内側に偏位した扉面を経て戸先側に至る間の部位に遮蔽材を延設し、第１扉の吊元側から第２扉の戸先側に至る折戸の全幅に渡って遮蔽材を連続して延設したことを特徴とする潜り戸付遮煙防火折戸における遮蔽構造。
【発明の詳細な説明】
【技術分野】
【０００１】
本発明は建物開口部を遮蔽する遮煙防火折戸に係り、詳しくは火災等により発生する煙の流出を阻止する潜り戸付遮煙防火折戸における遮蔽構造に関するものである。
【背景技術】
【０００２】
従来の遮煙防火折戸は、図６に示すように、両面フラッシュ扉からなる第１扉２と第２扉３によって構成され、建物開口部４に形成した開口枠５の左右縦枠５ａ、５ｂおよび上枠（図示せず）の当接面に、中空状の気密材１０を装填して閉鎖時における遮煙を行うと共に、上記第１扉２と第２扉３の各下框６、７に、折戸閉鎖時に建物開口部４の床面との間に形成される隙間を封鎖すべく、板状の弾性ゴム、軟質ビニール等からなる遮蔽材８をそれぞれ延設して遮煙防火折戸１が構成されている。
【０００３】
しかしながら、上記従来の構成では、同図に点線で示すように、火災等の緊急時以外では第１扉２と第２扉３が常時折り畳まれており、開放された開口枠５の左右縦枠５ａ、５ｂおよび上枠５ｃに装填した中空状の気密材１０と、上記第１扉２の下框６に延設した遮蔽材取付部Ｘが常に外側に露見しているため、意匠上好ましくないばかりか、外部からの異物の混入、衝接による破損等を誘発し易いものであった。
【０００４】
そこで、上述した開口枠５の左右縦枠５ａ、５ｂおよび上枠５ｃの当接面に中空状の気密材１０を装填する構成に代えて、上記対応する開口枠５への各扉２、３の当接面側に、気密材１０を装填し、また意匠上の改善を行うために、遮蔽材８を図６に示す各扉２、３の反対側面に延設することも考えられるが、この構成を採用すると、下框のない潜り戸１３を第２扉３に併設した際に、当該潜り戸１３の開閉に対する障害を避けるために、必然的にこれを併設した扉３の下縁との間で、遮蔽材８を装備できない取り合い部分（図示の太線矢印部分および図７の隙間ｔ）が生じてしまい、本来の目的である遮煙機能の低下を招く、という改善の余地を残すものであった。
【０００５】
一方、上述のような潜り戸を併設した防火引き戸も提案されているが、折戸の構成に比して設置面積が大になるという欠点を有するものであった。
【特許文献１】特開昭６１−５３９８１
【特許文献２】特開昭６１−２２０６６４
【発明の開示】
【発明が解決しようとする課題】
【０００６】
本発明は、上記の如き実状に鑑み遮煙防火折戸としての機能向上を追究する研究、開発の過程において創案されたものであって、その目的とするところは、意匠性を考慮しつつ遮煙機能に必須な気密材、遮蔽材の取付構造を改善して、潜り戸を設置した場合でも有効に遮蔽機能を確保することができる潜り戸付遮煙防火折戸における遮蔽構造を提供することを目的とするものである。
【課題を解決するための手段】
【０００７】
上記課題を解決するため、本発明が採用した技術的手段は、吊り元側を回動支点として室外側に回動可能な第１扉と、潜り戸を併設した第２扉を、上記第１扉の戸先側を回動支点として建物開口部に設置し、火災等の検知によって上記第１扉と第２扉を閉鎖方向に回動させて上記建物開口部を遮蔽するように構成した潜り戸付遮煙防火折戸において、上記折戸の閉鎖時に、建物開口部の開口枠および床面との間に形成される隙間を封鎖すべく、板状の軟質材からなる遮蔽材を各扉の上框にそれぞれ延設し、かつ第２扉の戸先側縦框に、対応する開口枠の縦枠に密着する気密材を延設する一方、前記床面に密接する遮蔽材を各扉の下框に延設するに際し、上記第１扉では吊元側の見込み面から室外側に偏位した扉面を経て戸先側の見込み面に至る間の部位に遮蔽材を断面視略コ字状に延設し、第２扉では吊元側から室内側に偏位した扉面を経て戸先側に至る間の部位に遮蔽材を延設し、第１扉の吊元側から第２扉の戸先側に至る折戸の全幅に渡って遮蔽材を連続して延設したことを特徴とするものである。
【発明の効果】
【０００８】
したがって、本発明によれば、意匠性を考慮しつつ遮煙機能に必須な気密材、遮蔽材の取付構造を改善して、潜り戸を設置した場合でも有効に遮蔽機能を確保することができる。
【発明を実施するための最良の形態】
【０００９】
床面に密接する遮蔽材を各扉の下框に延設するに際して、上記第１扉では吊元側の見込み面から室外側に偏位した扉面を経て戸先側の見込み面に至る間の部位に遮蔽材を延設し、第２扉では吊元側から室内側に偏位した扉面を経て戸先側に至る間の部位に遮蔽材を延設し、第１扉の吊元側から第２扉の戸先側に至る折戸の全幅に渡って遮蔽材を途切れることなく連続して延設する構成とする。
【実施例１】
【００１０】
本発明の構成を、添付図面に基づいて詳細に説明する。
図１〜図４において、１は本発明の遮蔽構造を採用した遮煙防火折戸であって、該遮煙防火折戸１は、吊り元側２ａを回動支点として室外側Ａに回動可能な第１扉２と、該第１扉２の戸先側２ｂを回動支点として回動可能な第２扉３を建物開口部４の開口枠５に設置し、火災等の検知によって上記第１扉２と第２扉３を閉鎖方向に回動させて建物開口部４を室外側Ａと室内側Ｂとに遮蔽するように構成されている。
【００１１】
上記各扉２、３の下框６ａ、７ａおよび上框６ｂ、７ｂには、遮煙防火折戸１の閉鎖時に建物開口部４の開口枠５および床面Ｃとの間に形成される隙間を封鎖すべく、板状の弾性ゴム、塩化ビニール等からなる遮蔽材８、８（図示で黒塗り部分）がそれぞれ取付板８ａ、８ａ…を介してパネル面に延設されており、かつ第２扉３の戸先側３ｂの縦框９には、対応する開口枠５の縦枠５ａに密着する中空状の気密材１０が延設されていると共に、前記床面Ｃに密接する遮蔽材８、８は、第１扉２では、吊元側２ａの見込み面から室外側Ａに偏位した扉面を経て戸先側２ｂの見込み面に至る間の部位の下框６ａに延設され、第２扉３では吊元側３ａから室内側Ｂに偏位した扉面を経て戸先側３ｂに至る間の部位の下框７ａに延設されており、上記第１扉２の吊元側２ａから第２扉３の戸先側３ｂに至る折戸１の全幅に渡って遮蔽材８、８…が連続して延設されるように構成されている。
【００１２】
そして上述のように、吊元側２ａおよび戸先側２ｂにおいて見込み方向に遮蔽材８が回り込んでいる第１扉２では、この遮蔽材８の延設部分に対し、吊元側２ａの縦枠５ｂに、図５（ａ）（ｂ）に示すように、一端縁に板状弾性ゴムからなる遮蔽片１１を延設した遮蔽用ブラケット１２が開口高さ方向に着脱自在に装着されて、第１扉２の閉鎖時に、吊元側２ａの見込み方向に回り込んだ遮蔽材８と、該遮蔽片１１との協働により吊元側２ａでの遮煙を行うようになっている。この構成を採用することで、第１扉２の取り外しを要することなく上記遮蔽用ブラケット１２の交換、取付を行うことができメンテナンス性の向上と遮煙機能の維持を図ることができる。また、第１扉２の戸先側２ｂにおいても、遮蔽材８が見込み方向に回り込んでいるので、従来のように遮蔽材８を装備できない取り合い部分（図示の太線矢印部分）、すなわち第２扉３の吊元側３ａとの取り合い部分Ｙが存在しても遮蔽機能を保持することができる。
【００１３】
一方、上記第２扉３には潜り戸１３が併設されており、当該第２扉３と同様に室内側Ｂに偏位して床面Ｃに密接する遮蔽材８が潜り戸１３の下縁にも取付板８ａを介して延設されると共に、潜り戸１３の閉鎖状態では、上記第２扉３に形成した開口枠１４の三方縁に装填した気密材１０、１０と潜り戸１３の室内側面との密接で遮煙を行うように構成されており、折戸１の閉鎖時において、図２に示すように、当該潜り戸１３を含む折戸１の全幅、すなわち第１扉２における吊元側２ａの見込み面から室外側Ａに偏位した扉面を経て戸先側２ｂの見込み面に至る間の部位の下框６ａに延設された遮蔽材８と、第２扉３における吊元側３ａから室内側Ｂに偏位した扉面を経て戸先側３ｂに至る間の部位の下框７ａに延設された遮蔽材８とにより、上記第１扉２の吊元側２ａから第２扉３の戸先側３ｂに至る折戸１の全幅に渡って遮蔽材８、８…が連続して延設されている。
なお、第１扉２の吊元側２ａ、第２扉３の吊元側３ａは、それぞれ自動閉鎖ヒンジ１５、１６を介して吊り持ち支持されており、通常時に折り畳まれていた遮煙防火折戸１が、火災等の検知によって図示しないロック解除機構の解除により閉作動した場合に、上記自動閉鎖ヒンジ１５、１６を介して各扉２、３が建物開口部４を閉鎖するように構成されている。
【００１４】
本発明は叙上の如く構成されているから、遮煙防火折戸１の開放時には、図２に点線で示すように、遮煙防火折戸１が折り畳まれており、この開放状態においては、遮蔽材８、８が各扉２、３の後面側に位置し、また開放された開口枠５側では、従来のように開放された開口枠５の左右縦枠５ａ、５ｂおよび上枠５ｃに中空状の気密材１０が存在しないため、意匠性を損なうことがなく、加えて外部からの異物の混入、衝接による気密材１０の破損等を誘発することがない。
【００１５】
一方、遮煙防火折戸１の閉鎖時には、開口枠５の縦枠５ｂの遮蔽片１１から第１扉２の室外側Ａに偏位して延設した遮蔽材８、および第２扉３の吊元側３ａから潜り戸１３を経て戸先側３ｂに至る間で室内側Ｂに偏位して延設した遮蔽材８により、断面視で途切れることなく連続して遮蔽材８と気密材１０、１０´が延設されているため、遮煙防火折戸１の閉鎖状態における遮煙機能を十分に発揮することができる。
【産業上の利用可能性】
【００１６】
遮煙防火折戸に限らず、浴室用折戸の防水機能として採用することができる。
【図面の簡単な説明】
【００１７】
【図１】本発明の遮蔽構造を採用する遮煙防火折戸の全体正面図である。
【図２】ａ−ａ断面図である。
【図３】ｂ−ｂ断面図である。
【図４】ｃ−ｃ断面図である。
【図５】（ａ）は吊元側における遮蔽用ブラケットの取付構成を示す要部拡大断面図である。（ｂ）は同上遮蔽用ブラケットを取り外した状態を示す要部拡大断面図である。
【図６】従来の遮煙防火折戸のａ−ａ断面図である。
【図７】遮煙防火折戸の遮蔽材８を装備できない取り合い部分（隙間ｔ）を示す要部拡大図である。
【符号の説明】
【００１８】
１      遮煙防火折戸
２      第１扉
２ａ    吊り元側
２ｂ    戸先側
３      第２扉
４      建物開口部
５      開口枠
５ａ    縦枠
８      遮蔽材
１０    気密材
Ａ      室外側
Ｂ      室内側
Ｃ      床面
【図１】
2005105705.tif 000003
【図２】
2005105705.tif 000004
【図３】
2005105705.tif 000005
【図４】
2005105705.tif 000006
【図５】
2005105705.tif 000007
【図６】
2005105705.tif 000008
【図７】
2005105705.tif 000009